(57)【要約】【課題】液晶表示装置において、１つの液晶パネル上で異なる２つの画像を２人の観察者が個別に視認できる２画面表示の実現を図る。【解決手段】液晶表示装置は、第１の偏光板１１上に、第１の位相差Φ１もしくは第２の位相差Φ２が付与される第１及び第２のストライプ部２０Ａ，２０Ｂからなる第１の液晶素子２０を備える。その上に、レンチキュラーレンズ３０が配置されている。また、その上に設けられた第２の液晶素子４０の第３及び第４のストライプ部４０Ａ，４０Ｂは、それぞれ第１の位相差Φ１及び第２の位相差Φ２を有し、第１及び第２のストライプ部２０Ａ，２０Ｂと直交して交互に配置されている。その上に配置された液晶パネル５０は、第３及び第４のストライプ部４０Ａ，４０Ｂと同じピッチの画素５０Ｐを有している。【選択図】  図１
2007304487.tif 000002
【特許請求の範囲】
【請求項１】
光源と、
前記光源に対向する偏光板と、
前記偏光板上に配置され、第１の位相差もしくは第２の位相差が付与される第１のストライプ部及び第２のストライプ部からなる第１の液晶素子と、
前記第１の液晶素子上で前記第１及び第２のストライプ部と平行に配置された複数のレンズ部と、
前記レンズ部上に配置され、前記第１及び第２のストライプ部と直交し、前記第１の位相差もしくは前記第２の位相差が付与される第３のストライプ部及び第４のストライプ部からなる第２の液晶素子と、
前記第２の液晶素子上に配置され、第１の画像及び第２の画像を提供する複数の表示画素を含む液晶パネルと、を備えることを特徴とする液晶表示装置。
【請求項２】
前記第１の液晶素子及び前記第２の液晶素子は、それらの光学的特性が実質的に同一となる材料により構成されていることを特徴とする請求項１記載の液晶表示装置。
【請求項３】
前記第１の液晶素子及び前記第２の液晶素子は、電界制御複屈折モードにより駆動されることを特徴とする請求項１又は請求項２に記載の液晶表示装置。
【請求項４】
前記第１の液晶素子及び前記第２の液晶素子は、１対の位相差板に挟まれており、垂直配向モードにより駆動されることを特徴とする請求項１又は請求項２に記載の液晶表示装置。
【発明の詳細な説明】
【技術分野】
【０００１】
本発明は、液晶表示装置に関し、特に、１つの液晶パネル上で２画面表示が可能な液晶表示装置に関する。
【背景技術】
【０００２】
従来より、テレビ受像機や情報機器等に搭載される表示装置として、表示用の液晶パネルを用いた液晶表示装置が知られている。この液晶表示装置に関しては、近年の情報機器の多様化に伴い、通常の１画面表示のみならず、１つの液晶パネル上で異なる２つの画像を２人の観察者が個別に視認できる２画面表示や、立体視を可能にする３次元表示等の多用な表示モードの実現が求められている。
【０００３】
なお、本願に関連する技術文献としては、以下の特許文献が挙げられる。
【特許文献１】特開２００４−２８００４２号公報
【発明の開示】
【発明が解決しようとする課題】
【０００４】
しかしながら、２画面表示や３次元表示等の表示モードを有する液晶表示装置の開発は未だに不充分なものであり、さらなる進展が求められていた。また、２画面表示や３次元表示等の異なる表示モードを任意に切り替えることが可能な液晶表示装置についても、さらなる開発の要望があった。
【課題を解決するための手段】
【０００５】
本発明の液晶表示装置は、上記課題に鑑みて為されたものであり、光源と、光源に対向する偏光板と、偏光板上に配置され、第１の位相差もしくは第２の位相差が付与される第１のストライプ部及び第２のストライプ部からなる第１の液晶素子と、第１の液晶素子上で第１及び第２のストライプ部と平行に配置された複数のレンズ部と、レンズ部上に配置され、第１及び第２のストライプ部と直交し、第１の位相差もしくは第２の位相差が付与される第３のストライプ部及び第４のストライプ部からなる第２の液晶素子と、第２の液晶素子上に配置され、第１の画像及び第２の画像を提供する複数の表示画素を含む液晶パネルと、を備えることを特徴とする。
【発明の効果】
【０００６】
本発明の液晶表示装置によれば、１つの液晶パネル上で異なる第１及び第２の画像を２人の観察者が個別に視認できる２画面表示が実現される。また、第１及び第２の液晶素子を用いているため、２画面表示の際に良好な表示品位を得ることができる。即ち、液晶パネルに入射して第１及び第２の画像を提供する光の特性（コントラスト及び白色と黒色の色度）の均一化を図ることが可能となる。これにより、第１及び第２の画像の良好な分離性能を得ることができる。
【０００７】
また、上記２次元の２画面表示のみならず、２次元の１画面表示及び３次元の１画面表示の各表示モードを１つの液晶表示装置で任意に切り替えることが可能となる。この２次元の１画面表示では、画像の良好な解像度を得ることができる。
【発明を実施するための最良の形態】
【０００８】
次に、本発明の第１の実施形態に係る液晶表示装置について図面を参照して説明する。図１は、本実施形態に係る液晶表示装置を模式的に説明する斜視図であり、図２は、図１のＸ−Ｘ線に沿った断面図である。また、図３は、後述する図２の第１の液晶素子２０及び第２の液晶素子４０を説明する平面図である。また、図４は、図１のＹ−Ｙ線に沿った断面図であり、後述する第２の液晶素子４０の断面を示している。
【０００９】
図１及び図２に示すように、光源ＢＬと対向して、その光（偏光されていない光）から直線偏光を抽出する第１の偏光板１１が配置されている。光源ＢＬと対向しない側の第１の偏光板１１上には、第１の偏光板１１により抽出された直線偏光の偏光軸の角度（直線偏光の進行方向と直交する平面における偏光軸の角度）を、所定の光学的位相差（以降、単に「位相差」と略称する）により制御する第１の液晶素子２０が配置されている。
【００１０】
第１の液晶素子２０は、ガラス等の第１の透明基板２１、第２の透明基板２２及びシール２３によって封止された液晶層ＬＣからなる。液晶層ＬＣは、電界制御複屈折（ECB; Electrically Controlled Birefringence）モードにより駆動するものである。
【００１１】
第１の透明基板２１上には、ＩＴＯ（Indium Tin Oxide）等の透明金属からなる複数の第１の透明電極２４が配置されている。第１の透明電極２４は、図３のようにストライプ状に形成されており、互いに絶縁されている。また、第２の透明基板２２上には、共通電位が供給される共通電極として、ＩＴＯ等の透明金属からなる第２の透明電極２５が配置されている。
【００１２】
この第１の液晶素子２０の液晶層ＬＣは、ストライプ状に形成された各第１の透明電極２４に対応して、複数の第１のストライプ部２０Ａ及び第２のストライプ部２０Ｂに区分されている。第１のストライプ部２０Ａ及び第２のストライプ部２０Ｂでは、第１の透明電極２４への印加電圧を制御することにより、各液晶層ＬＣに第１の位相差Φ１もしくは第２の位相差Φ２が付与される。第１の透明電極２４へ電圧が印加される場合の位相差を第１の位相差Φ１とし、電圧が印加されない場合の位相差を第２の位相差Φ２とする。第１の位相差Φ１もしくは第２の位相差Φ２は、通常は固定されたパターンを以って第１及び第２のストライプ部２０Ａ，２０Ｂに交互に付与されるが、必要に応じて、上記以外の任意のパターンを以って付与される。
【００１３】
ここで、第１の液晶素子２０に入射する直線偏光の波長をλとし、Ｒを微小な位相差とすると、第１の位相差Φ１はＲであり、第２の位相差Φ２は（λ／２）＋Ｒである。なお、第１の位相差Φ１及び第２の位相差Φ２の各理想値は、それぞれ０及びλ／２である。即ち位相差Ｒは、第１の液晶素子２０の性質上、上記理想値に加わることになる微小な誤差である。
【００１４】
さらに、第１の偏光板１１と対向しない側の第１の液晶素子２０上には、第１及び第２のストライプ部２０Ａ,２０Ｂの長手方向に沿って平行に凸面が連続する複数のレンズ部３０ａが並べられたレンチキュラーレンズ３０が配置されている。１つのレンズ部３０ａは、１対の第１のストライプ部２０Ａ及び第２のストライプ部２０Ｂに対応して、これを覆うように配置されている。
【００１５】
これらのレンズ部３０ａは、第１及び第２のストライプ部２０Ａ,２０Ｂからの各出射光を、第１及び第２のストライプ部２０Ａ,２０Ｂ毎に第１の観察者Ａに向かう方向、もしくは第２の観察者Ｂに向かう方向に屈折させる。なお、第１の観察者Ａ及び第２の観察者Ｂの存在する各領域は、第１及び第２のストライプ部２０Ａ,２０Ｂの長手方向に沿って平行な線分によって区分される領域である。
【００１６】
第１の液晶素子２０と対向しない側のレンチキュラーレンズ３０上には、第２の液晶素子４０が配置されている。第２の液晶素子４０の機能は、第１の液晶素子２０と同様であり、レンチキュラーレンズ３０からの出射光の偏光軸の角度を位相差により制御する。
【００１７】
第２の液晶素子４０は、ガラス等の第３の透明基板４１、第４の透明基板４２及びシール４３によって封止された液晶層ＬＣからなる。液晶層ＬＣは、第１の液晶素子２０と同様に電界制御複屈折モードにより駆動するものである。
【００１８】
第３の透明基板４１上には、ＩＴＯ等の透明金属からなる複数の第３の透明電極４４が配置されている。第３の透明電極４４は、図３のようにストライプ状に形成されており、互いに絶縁されている。また、第４の透明基板４２上には、共通電位が供給される共通電極として、ＩＴＯ等の透明金属からなる第４の透明電極４５が配置されている。
【００１９】
図４に示すように、この第２の液晶素子４０の液晶層ＬＣは、ストライプ状に形成された各第３の透明電極４４に対応して、複数の第３のストライプ部４０Ａ及び第４のストライプ部４０Ｂに区分されている。第３及び第４のストライプ部４０Ａ，４０Ｂは、第１の液晶素子２０の第１及び第２のストライプ部２０Ａ，２０Ｂの長手方向と直交するように配置されている。
【００２０】
第３のストライプ部４０Ａ及び第４のストライプ部４０Ｂでは、第３の透明電極４４への印加電圧を制御することにより、各液晶層ＬＣに第１の位相差Φ１もしくは第２の位相差Φ２が付与される。第３の透明電極４４へ電圧が印加される場合の位相差を第１の位相差Φ１とし、電圧が印加されない場合の位相差を第２の位相差Φ２とする。第１の位相差Φ１もしくは第２の位相差Φ２は、通常は固定されたパターンを以って第３及び第４のストライプ部４０Ａ，４０Ｂに交互に付与されるが、必要に応じて、上記以外の任意のパターンを以って付与される。
【００２１】
また、第３のストライプ部４０Ａ及び第４のストライプ部４０Ｂの各ピッチは、後述する液晶パネル５０を構成する画素５０Ｐの垂直方向のピッチＰと同一もしくは略同一である。
【００２２】
また、第２の液晶素子４０の上記構成要素の各材料は、第１の液晶素子２０の上記構成要素の各材料と同一もしくは極力同一であることが好ましい。即ち、第１の液晶素子２０及び第２の液晶素子４０の位相差等の光学的特性に対する波長依存性は、互いに同一であるか、もしくは上記波長依存性の差異が第１及び第２の観察者Ａ，Ｂに無視される程度となることが好ましい。
【００２３】
なお、上記構成によれば、第１の液晶素子２０及び第２の液晶素子４０の光学的特性の波長依存性に、無視できない程度の差異が存在する場合、第１及び第３の透明電極２４，４４への電圧印加を制御することにより、第１及び第２の位相差Φ１，Φ２を調整することができる。
【００２４】
レンチキュラーレンズ３０と対向しない側の第２の液晶素子４０上には、複数の画素５０Ｐを有し第１の画像および第２の画像を提供する表示用の液晶パネル（以降、「液晶パネル」と略称する）５０が配置されている。液晶パネル５０は、ガラス等の第５の透明基板５１、第６の透明基板５２及びシール５３によって封止された液晶層ＬＣからなる。液晶パネル５０の液晶層ＬＣは、特に限定されないが、例えば、電界制御複屈折モードにより駆動する。
【００２５】
第５の透明基板５１上には、ＩＴＯ等の透明金属からなる複数の第５の透明電極５４が配置されている。第５の透明電極５４は、互いに絶縁され、マトリクス状に配置されている。また、第６の透明基板５２上には、共通電位が供給される共通電極として、ＩＴＯ等の透明金属からなる第６の透明電極５５が配置されている。
【００２６】
さらに、液晶パネル５０は、第２の偏光板１２及び第３の偏光板１３によって挟まれている。第２の偏光板１２は第１の偏光板１１と同一の偏光軸の角度を有している。また、第３の偏光板１３は、第２の偏光板１２に対してクロスニコル配置（偏光軸の角度が互いに直交する配置）されている。なお、液晶パネル５０の画素５０Ｐの垂直方向のピッチＰは、上記第２の液晶素子４０の第３及び第４のストライプ部４０Ａ,４０Ｂのピッチと同一もしくは略同一である。
【００２７】
次に、本実施形態の液晶表示装置の動作について図面を参照して説明する。図５は、本実施形態の液晶表示装置の動作を説明する概念図である。
【００２８】
図５に示すように、最初に、第１の偏光板１１により光源ＢＬの光（偏光されていない光）から直線偏光が抽出される。この直線偏光は、第１の液晶素子２０へ入射する。
【００２９】
ここで、第１の液晶素子２０の第１のストライプ部２０Ａへ入射した光は、その偏光軸が第１の位相差Φ１即ちＲに応じて回転した状態となって出射される。第１の位相差Φ１が理想値、即ち０である場合、第１の液晶素子２０の第１のストライプ部２０Ａへ入射した光は、その偏光軸が入射前の角度に保たれた状態で出射される。一方、第２のストライプ部２０Ｂへ入射した光は、その偏光軸が第２の位相差Φ２即ち（λ／２）＋Ｒに応じて回転した状態となって出射される。第２の位相差Φ２が理想値、即ちλ／２である場合、第１の液晶素子２０の第２のストライプ部２０Ｂへ入射した光は、その偏光軸の角度が入射前に比して９０度回転した状態となって出射される。この偏光軸の角度は、第１及び第２の偏光板１１,１２の偏光軸と直交する角度となる。
【００３０】
次に、第１のストライプ部２０Ａ及び第２のストライプ部２０Ｂから出射された上記偏光軸の異なる２種類の光は、レンチキュラーレンズ３０を透過する。これにより、上記２種類の光は、それぞれ、第１の観察者Ａに向かう方向、及び第２の観察者Ｂに向かう方向に屈折されると共に、第２の液晶素子４０に入射する。
【００３１】
ここで、第２の液晶素子４０の第３のストライプ部４０Ａへ入射した上記２種類の光は、各偏光軸が第１の位相差Φ１即ちＲに応じて回転した直線偏光となって、第２の偏光板１２へ入射する。第１の位相差Φ１が理想値、即ち０である場合、第３のストライプ部４０Ａへ入射した上記２種類の光は、各偏光軸が入射前の角度に保たれた直線偏光となって第２の偏光板１２へ入射する。
【００３２】
このとき、上記２種類の光のうち、第１の液晶素子２０の第１のストライプ部２０Ａを経て第３のストライプ部４０Ａを透過した第１の観察者Ａに向かう直線偏光は、その偏光軸の角度が第２の偏光板１２の偏光軸と一致するため、この第２の偏光板１２を透過して液晶パネル５０に入射する。一方、第１の液晶素子２０の第２のストライプ部２０Ｂを経て第３のストライプ部４０Ａを透過した第２の観察者Ｂに向かう直線偏光は、その偏光軸の角度が第２の偏光板１２の偏光軸と直交するため、この第２の偏光板１２を透過しない。即ち、第３のストライプ部４０Ａを透過する光は、第１の観察者Ａの方向のみに向かう。
【００３３】
また、第２の液晶素子４０の第４のストライプ部４０Ｂへ入射した上記２種類の光は、各偏光軸の角度が第２の位相差Φ２に応じて回転した直線偏光となって、第２の偏光板１２へ入射する。第２の位相差Φ２が理想値、即ちλ／２である場合、第４のストライプ部４０Ｂへ入射した上記２種類の光は、各偏光軸の角度が入射前に比して９０度回転した状態直線偏光となって第２の偏光板１２へ入射する。
【００３４】
このとき、上記２種類の光のうち、第１の液晶素子２０の第１のストライプ部２０Ａを経て第４のストライプ部４０Ｂを透過した第１の観察者Ａに向かう直線偏光は、その偏光軸の角度が第２の偏光板１２の偏光軸と直交するため、この第２の偏光板１２を透過しない。一方、第２のストライプ部２０Ｂを経て第４のストライプ部４０Ｂを透過した第２の観察者Ｂに向かう直線偏光は、その偏光軸の角度が第２の偏光板１２の偏光軸と一致するため、この第２の偏光板１２を透過して液晶パネル５０に入射する。即ち、第４のストライプ部４０Ｂを透過する光は、第２の観察者Ｂの方向のみに向かう。
【００３５】
また、同時に、液晶パネル５０の各行のうち、第２の液晶素子４０の第３のストライプ部４０Ａに対応する行の画素５０Ｐには、第１の画像に応じた表示信号が供給される。また、液晶パネル５０の各行のうち、第４のストライプ部４０Ｂに対応する行の画素５０Ｐには、第２の画像に応じた表示信号が供給される。
【００３６】
そして、第２の液晶素子４０の第３のストライプ部４０Ａから第１の観察者Ａの方向のみに向かう直線偏光は、その第３のストライプ部４０Ａに対応した液晶パネル５０の行の画素５０Ｐを通過し、第３の偏光板１３を介して、第１の画像のみを第１の観察者Ａのみに視認させる。
【００３７】
また、第４のストライプ部４０Ｂから第２の観察者Ｂの方向のみに向かう直線偏光は、その第４のストライプ部４０Ｂに対応した液晶パネル５０の行の画素５０Ｐを通り、第３の偏光板１３を介して、第２の画像のみを第２の観察者Ｂのみに視認させる。こうして、１つの液晶パネル５０上で、異なる２つの画像を２人の観察者が個別に視認できる２画面表示が実現される。
【００３８】
さらに、本発明によれば、上記２次元の２画面表示の際、光学的特性に対する波長依存性が同一もしくは略同一である第１及び第２の液晶素子２０，４０を用いているため、良好な表示品位を得ることができる。即ち、液晶パネル５０に入射して第１及び第２の画像を提供する光の特性（コントラスト及び白色と黒色の色度）の均一化を図ることが可能となる。これにより、第１及び第２の画像の良好な分離性能を得ることができる。
【００３９】
もし仮に、本実施形態の構成によらず、第２の液晶素子４０の替わりに、第１及び第２の位相差Φ１，Φ２が交互に固定的に付与されたストライプ部を有する位相差板等を用いると、上記のような効果は得られない。これは、そのような位相差板の第１及び第２の位相差Φ１，Φ２は、その材料及び製造上の制約により、第１の液晶素子２０の第１及び第２の位相差Φ１，Φ２とは完全に一致しないためである。この場合、その位相差の誤差に応じて光学的特性に差異が生じ、液晶パネル５０に入射して第１及び第２の画像を提供する光の特性（コントラスト及び白色と黒色の色度）が不均一化してしまう。これにより、第１及び第２の画像の分離性能が低下し、表示品位の低下が生じる。
【００４０】
なお、上記第１の実施形態の第１及び第２の液晶素子２０，４０は、上記と同様の効果を奏するものであれば、上述した電界制御複屈折モードに限定されず、他のモードにより駆動されるものであってもよい。
【００４１】
次に、本発明の第２の実施形態として、第１及び第２の液晶素子２０，４０が垂直配向（VA; Vertically Aligned）モードにより駆動される場合の液晶表示装置について、図１、図２、及び図６を参照して説明する。図６は、本発明の第２の実施形態に係る液晶表示装置の動作を説明する概念図である。
【００４２】
本実施形態の構成を説明すると、図１及び図２に示した第１の実施形態に加えて、第１の液晶素子２０及び第２の液晶素子４０を挟むように、第１の位相差板２８及び第２の位相差板２９が配置されている。第１及び第２の位相差板２８，２９は、それぞれλ／４の位相差を有している。
【００４３】
また、本実施形態では、第１及び第２の液晶素子２０，４０の各液晶層ＬＣでは、液晶分子が第１及び第３の透明基板２１，４１に対して垂直配向されている。そして、第１及び第３の透明電極２４，４４へ電圧が印加されない場合の第１の位相差Φ１は０であり、第１及び第３の透明電極２４，４４へ電圧が印加される場合の第２の位相差Φ２はλ／２である。
【００４４】
ここで、第１の実施形態のような微小な位相差Ｒが第１の位相差Φ１及び第２の位相差Φ２に含まれない理由は、第１及び第３の透明電極２４，４４へ電圧が印加されない場合には液晶分子が垂直配向しており、入射した光の偏光軸は変化しないことによる。
【００４５】
なお、上記以外の構成要素については、図１及び図２に示したものと同様であり、同一の符号を付して参照する。
【００４６】
次に、本実施形態の液晶表示装置の動作について説明する。図６に示すように、最初に、第１の偏光板１１により光源ＢＬの光（偏光されていない光）から直線偏光が抽出される。この直線偏光は、第１の位相差板２８に入射して楕円偏光もしくは円偏光（以降、「楕円偏光」と略称する）となった後、第１の液晶素子２０へ入射する。
【００４７】
ここで、第１の液晶素子２０の第１のストライプ部２０Ａへ入射した光は、第１の位相差Φ１即ち０の位相差により、その偏光軸が入射前と同様に保たれたまま出射される。一方、第２のストライプ部２０Ｂへ入射した光は、その偏光軸が第２の位相差Φ２即ちλ／２により、入射前に比して９０度回転した状態となって出射される。
【００４８】
次に、第１のストライプ部２０Ａ及び第２のストライプ部２０Ｂから出射された上記偏光軸の異なる２種類の光は、レンチキュラーレンズ３０を透過する。これにより、上記２種類の光は、それぞれ、第１の観察者Ａに向かう方向、及び第２の観察者Ｂに向かう方向に屈折されると共に、第２の液晶素子４０に入射する。
【００４９】
ここで、第２の液晶素子４０の第３のストライプ部４０Ａへ入射し、さらに第２の位相差板２９へ入射した上記２種類の光は、各偏光軸が入射前の角度に保たれた直線偏光となって第２の偏光板１２へ入射する。このとき、上記２種類の光のうち、第１のストライプ部２０Ａを経た第１の観察者Ａに向かう直線偏光は、その偏光軸の角度が第２の偏光板１２の偏光軸と一致するため、この第２の偏光板１２を透過して液晶パネル５０に入射する。一方、第２のストライプ部２０Ｂを経た第２の観察者Ｂに向かう直線偏光は、その偏光軸の角度が第２の偏光板１２の偏光軸と直交するため、この第２の偏光板１２を透過しない。即ち、第３のストライプ部４０Ａを透過する光は、第１の観察者Ａの方向のみに向かう。
【００５０】
また、第２の液晶素子４０の第４のストライプ部４０Ｂし、さらに第２の位相差板２９へ入射した上記２種類の光は、各偏光軸の角度が入射前に比して９０度回転した状態の直線偏光となって第２の偏光板１２へ入射する。このとき、上記２種類の光のうち、第１のストライプ部２０Ａを経た第１の観察者Ａに向かう直線偏光は、その偏光軸の角度が第２の偏光板１２の偏光軸と直交するため、この第２の偏光板１２を透過しない。一方、第２のストライプ部２０Ｂを経た第２の観察者Ｂに向かう直線偏光は、その偏光軸の角度が第２の偏光板１２の偏光軸と一致するため、この第２の偏光板１２を透過して液晶パネル５０に入射する。即ち、第４のストライプ部４０Ｂを透過する光は、第２の観察者Ｂの方向のみに向かう。
【００５１】
これらの第１及び第２の観察者Ａ，Ｂの各方向のみに向かう光は、第１の実施形態と同様に液晶パネル５０の画素５０Ｐを透過し、各観察者に第１の画像もしくは第２の画像のいずれか一方を視認させる。即ち、第１の実施形態と同様に、１つの液晶パネル５０上で、異なる２つの画像を２人の観察者が個別に視認できる２画面表示が実現される。
【００５２】
なお、上述した第１及び第２の実施形態では、必要に応じて、上記２次元の２画面表示のみならず、２次元の１画面表示及び３次元の１画面表示の各表示モードを１つの液晶表示装置で任意に切り替えることができる。
【００５３】
即ち、２次元の１画面表示の際には、第１及び第２の液晶素子２０，４０では、第１乃至第４のストライプ部２０Ａ，２０Ｂ，４０Ａ，４０Ｂの全てが第１の位相差Φ１となるように、第１及び第３の透明電極２４，４４への電圧印加が制御される。同時に、液晶パネル５０の各行の画素５０Ｐには、第１の画像もしくは第２の画像のいずれか一方に応じた表示信号が供給される。このとき、第１及び第２の液晶素子２０，４０は単なる透明基板として機能するため、良好な解像度を得ることがきる。
【００５４】
この２次元の１画面表示における良好な解像度は本発明に特有なものである。即ち、第２の液晶素子４０の替わりに、第１及び第２の位相差Φ１，Φ２が交互に固定的に付与されたストライプ部を有する位相差板等を用いると、上記実施形態と同等の効果は得られない。これは、第１の観察者Ａの方向には第１の位相差Φ１のストライプ部が、第２の観察者Ｂの方向には第２の位相差Φ２のストライプ部が対応し、各観察者にとっては、画像の解像度が半減するためである。
【００５５】
第２の液晶素子４０によらずに上記実施形態と同等の効果を得るためには、第１の液晶素子２０の第１及び第２のストライプ部２０Ａ，２０Ｂにおいて、第１及び第２の位相差Φ１，Φ２を高速で交互に付与するように電圧印加を切り換える必要がある。これに対して上記実施形態の第１及び第２の液晶素子２０，４０によれば、そのような高速な電圧印加の切り換えを必要とせずに良好な解像度を得ることができる。
【００５６】
また、３次元の１画面表示の際には、第１の液晶素子２０に対するレンチキュラーレンズ３０の配置位置を調節することにより、第１の液晶素子２０の第１及び第２のストライプ部２０Ａ，２０Ｂから出射された光の進行方向を所望の方向に変化させる。
【００５７】
即ち、第１の液晶素子２０の第１及び第２のストライプ部２０Ａ，２０Ｂから出射された光が屈折する方向を、１人の観察者の左眼及び右眼の各方向に合わせる。さらに、液晶パネル５０の各行に、交互に立体視用の２つの画像を表示することにより、３次元の１画面表示が得られる。
【図面の簡単な説明】
【００５８】
【図１】本発明の第１の実施形態に係る液晶表示装置を説明する斜視図である。
【図２】図１のＸ−Ｘ線に沿った断面図である。
【図３】図２の液晶表示装置の第１及び第２の液晶素子を説明する平面図である。
【図４】図１のＹ−Ｙ線に沿った断面図である。
【図５】本発明の第１の実施形態に係る液晶表示装置の動作を説明する概念図である。
【図６】本発明の第２の実施形態に係る液晶表示装置の動作を説明する概念図である。
【符号の説明】
【００５９】
１１  第１の偏光板        １２  第２の偏光板            １３  第３の偏光板
２０  第１の液晶素子      ２０Ａ  第１のストライプ部
２０Ｂ  第２のストライプ部                              ２１  第１の透明基板
２２  第２の透明基板      ２３，４３，５３  シール      ２４  第１の透明電極
２５  第２の透明電極      ２８  第１の位相差板          ２９  第２の位相差板
３０  レンチキュラーレンズ
４０  第２の液晶素子        ４１  第３の透明基板        ４２  第４の透明基板
４４  第３の透明電極        ４５  第４の透明電極        ５０  液晶パネル
５１  第５の透明基板        ５２  第６の透明基板        ５４  第５の透明電極
５５  第６の透明電極        ＢＬ  光源                  ＬＣ  液晶層
【図１】
2007304487.tif 000003
【図２】
2007304487.tif 000004
【図３】
2007304487.tif 000005
【図４】
2007304487.tif 000006
【図５】
2007304487.tif 000007
【図６】
2007304487.tif 000008